(57)【要約】  【課題】幼児が舌を挿入しても安全で、しかも内部のゼリーなどの半固形食品が容易に押し出され、かつ分割される容器並びに半固形食品を実現する。  【解決手段】本発明の半固形食品用容器は、合成樹脂製のカップの開口に１以上のカット線材を渡して固定してあるため、容器中の半固形食品を押し出して食べる際に、容器中の半固形食品が１以上のカット線材によって複数に分割されながら出て来るので、喉に詰まらせるような危険がない。また、皿に出す場合は、複数に分割された状態となるので、箸やスプーンで食べやすい形態となる。１以上のカット線材は、井の字状若しくは十字状に又は複数本平行に渡してあってもよく、ネット状でもよい。【選択図】図１
2009001306.tif 000002
【特許請求の範囲】
【請求項１】
合成樹脂製のカップの開口に１以上のカット線材を渡して固定してあることを特徴とする半固形食品用容器。
【請求項２】
前記の１以上のカット線材が井の字状若しくは十字状に又は複数本平行に渡してあることを特徴とする請求項１に記載の半固形食品用容器。
【請求項３】
前記の１以上のカット線材がネット状になっていることを特徴とする請求項１に記載の半固形食品用容器。
【請求項４】
前記のカット線材は合成樹脂製で、断面形状が円状又は楕円状であることを特徴とする請求項１、請求項２または請求項３に記載の半固形食品用容器。
【請求項５】
半固形食品の入った合成樹脂製のカップの開口に１以上のカット線材を渡して固定し、その上からカバーシートを取付け固定してあることを特徴とする半固形食品。
【請求項６】
前記の１以上のカット線材が井の字状若しくは十字状に又は複数本平行に渡してあることを特徴とする請求項５に記載の半固形食品。
【請求項７】
前記の１以上のカット線材がネット状になっていることを特徴とする請求項５に記載の半固形食品。
【請求項８】
前記のカット線材は合成樹脂製で、断面形状が円状又は楕円状であることを特徴とする請求項５、請求項６または請求項７に記載の半固形食品。
【請求項９】
前記のカット線材の上から被せてあるシールシートの摘まみ片に、シールシートの中央方向に向かった切り込みを入れてあることを特徴とする請求項５から請求項８までのいずれかの項に記載の半固形食品。
【発明の詳細な説明】
【技術分野】
【０００１】
本発明は、こんにゃくゼリーなどのようなゼリー製品を収納する容器並びにゼリー製品に関する。この発明は、一口こんにゃくや羊羹、寒天等のような各種の半固形食品の容器としても適用できる。
【背景技術】
【０００２】
特開平10-86991で提案されているように、一口ゼリー容器の開口フランジに上下２層のフィルムをヒートシールし、下層のフィルムに十文字状のブリッジ部を形成しておくことで、内部のゼリーを押し出して食べる際に十字にカットされる構成が開示されている。
【特許文献１】特開平10-86991
【発明の開示】
【発明が解決しようとする課題】
【０００３】
特許文献１の構成によると、一口容器中のゼリーが４等分された状態で押し出されるので、幼児の喉に詰まるような問題が解消され、安全である。ところが、十文字状のブリッジ部が残るように、下層のフィルムをカットして形成するので、幼児が一口容器中のゼリーを押し出し口に運ぶ際に、十文字状ブリッジ部の間に舌を差し込んだりして、舌を切るなどの危険が生じる。また、十文字状ブリッジ部の鋭いカット部に対し直角の面で内部のゼリーが押し切られるため、抵抗が大きく、カットが容易でない。その結果、幼児にとっては、ゼリーの押し出し操作が困難で、十字状のカットが容易でない。
【０００４】
本発明の技術的課題は、このような問題に着目し、容器中のゼリーなどの半固形食品がそのまま消費者の口にスルッと滑り込むのでなく、喉に詰まらない程度に分割された状態で押し出される半固形食品用の容器において、幼児が舌を挿入しても安全で、しかも内部の半固形食品が容易に押し出され、かつ分割される容器並びに半固形食品を実現することにある。
【課題を解決するための手段】
【０００５】
本発明の技術的課題は次のような手段によって解決される。請求項１は、合成樹脂製のカップの開口に１以上のカット線材を渡して固定してあることを特徴とする半固形食品用容器である。請求項５は、半固形食品の入った合成樹脂製のカップの開口に１以上のカット線材を渡して固定し、その上からカバーシートを取付け固定してあることを特徴とする半固形食品である。
【０００６】
このように、本発明の半固形食品用容器は、合成樹脂製のカップの開口に１以上のカット線材を渡して固定してあるため、容器中の半固形食品を押し出して食べる際に、容器中の半固形食品が１以上のカット線材によって複数に分割されながら出て来るので、喉に詰まらせるような危険がない。また、皿に出す場合は、複数に分割された状態となるので、箸やスプーンで食べやすい形態となる。
【０００７】
請求項２は、前記の１以上のカット線材が井の字状若しくは十字状に又は複数本平行に渡してあることを特徴とする請求項１に記載の半固形食品用容器である。請求項６は、前記の１以上のカット線材が井の字状若しくは十字状に又は複数本平行に渡してあることを特徴とする請求項５に記載の半固形食品である。このように、前記の１以上のカット線材が十字状に渡してあるため、容器内の半固形食品を押し出した際に十字状にカットされて４分割された状態となり、食べやすくなる。喉に詰まる危険もない。また、前記の１以上のカット線材が井の字状若しくは複数本平行に渡してある場合は、井の字状や平行にカットされるため、いろいろな形態にカットできる。
【０００８】
請求項３は、前記の１以上のカット線材がネット状になっていることを特徴とする請求項１に記載の半固形食品用容器である。請求項７は、前記の１以上のカット線材がネット状になっていることを特徴とする請求項５に記載の半固形食品である。このように、前記の１以上のカット線材がネット状になっているため、容器中の半固形食品を押し出し際に、ネット状のカット線材でトコロテン状に押し出されるので、幼児や高齢者などにとって食べやすい形態となる。箸で挟むことも可能となる。また、ネット状なため、幼児が舌を差し込んで、舌を切るなどの危険もない。
【０００９】
請求項４は、前記のカット線材は合成樹脂製で、断面形状が円状又は楕円状であることを特徴とする請求項１、請求項２または請求項３に記載の半固形食品用容器である。請求項８は、前記のカット線材は合成樹脂製で、断面形状が円状又は楕円状であることを特徴とする請求項５、請求項６または請求項７に記載の半固形食品である。このように、前記のカット線材は合成樹脂製で、断面形状が円状又は楕円状であるため、容器内部の半固形食品を押し出す際にカット線材の受ける抵抗が少なく、円滑にカット分割される。したがって、幼児や高齢者でも容器中の半固形食品を容易に押し出すことができる。また、カット線材の外径が円状又は楕円状であるため、幼児が舌を差し込んだりしても、舌を切るなどの危険も無い。
【００１０】
請求項９は、前記のカット線材の上から被せてあるシールシートの摘まみ片に、シールシートの中央方向に向かった切り込みを入れてあることを特徴とする請求項５から請求項８までのいずれかの項に記載の半固形食品である。このように、前記のカット線材の上から被せてあるシールシートの摘まみ片に、シールシートの中央方向に向けて、Ｖ字状その他の切り込みを入れてあるので、切り込みの片方を摘んで剥がすことで、シールシートを２回に分けて、容易に剥がし取ることができる。
【発明の効果】
【００１１】
請求項１、５のように、本発明の半固形食品用容器は、合成樹脂製のカップの開口に１以上のカット線材を渡して固定してあるため、容器中の半固形食品を押し出して食べる際に、容器中の半固形食品が１以上のカット線材によって複数に分割されながら出て来るので、喉に詰まらせるような危険がない。また、皿に出す場合は、複数に分割された状態となるので、箸やスプーンで食べやすい形態となる。
【００１２】
請求項２、６のように、前記の１以上のカット線材が十字状に渡してあるため、容器内の半固形食品を押し出した際に十字状にカットされて４分割された状態となり、食べやすくなる。喉に詰まる危険もない。また、前記の１以上のカット線材が井の字状若しくは複数本平行に渡してある場合は、井の字状や平行にカットされるため、いろいろな形態にカットできる。
【００１３】
請求項３、７のように、前記の１以上のカット線材がネット状になっているため、容器中の半固形食品を押し出し際に、ネット状のカット線材でトコロテン状に押し出されるので、幼児や高齢者などにとって食べやすい形態となる。箸で挟むことも可能となる。また、ネット状なため、幼児が舌を差し込んで、舌を切るなどの危険もない。
【００１４】
請求項４、８のように、前記のカット線材は合成樹脂製で、断面形状が円状又は楕円状であるため、容器内部の半固形食品を押し出す際にカット線材の受ける抵抗が少なく、円滑にカット分割される。したがって、幼児や高齢者でも容器中の半固形食品を容易に押し出すことができる。また、カット線材の外径が円状又は楕円状であるため、幼児が舌を差し込んだりしても、舌を切るなどの危険も無い。
【００１５】
請求項９のように、前記のカット線材の上から被せてあるシールシートの摘まみ片に、シールシートの中央方向に向けて、Ｖ字状その他の切り込みを入れてあるので、切り込みの片方を摘んで剥がすことで、シールシートを２回に分けて、容易に剥がし取ることができる。
【発明を実施するための最良の形態】
【００１６】
次に本発明による半固形食品用容器並びに半固形食品が実際上どのように具体化されるか実施形態を説明する。図１は、本発明による半固形食品用容器を示す分解斜視図である。１は合成樹脂製の容器で、その中に、ゼリーなどの半固形食品が充填される。この容器１の開口縁にフランジ２が一体形成され、その上に本発明によるカット線材として、ネット３を重ねて接合することによって、図２のように一体化される。ネット３の上からシール用のシート４を重ねて封止することで、販売ルートを流通し、又は保管される。
【００１７】
容器１中の半固形食品を食べる際は、図１のシート４を剥がし取り、容器１を指で押し潰すと、中の半固形食品が押し出される。このとき、ネット３を通過するので、ネット３の網目でトコロテン状に分割された状態となる。したがって、容器１から押し出された半固形食品をそのまま飲み込んで、喉を詰まらせるような危険はない。また、ネット３の網目中に舌を差し込むことはできないので、舌を切るような危険も無い。
【００１８】
図１、図２のネット３は網目が細かいが、網目のサイズは任意であり、網目が大きい場合は、図３のように、井の字状のカット線材３ａとなる。井の字状のカット線材３ａの十字状の交差部だけを用いると、図４のようになる。図３の井の字状や図４の十字状のカット線材３ａの場合は、カット線材の隙間から幼児が舌を差し込むことができるが、カット線材の断面形状は通常、図示のように円形なため、舌を切るような危険はなく、安全である。なお、楕円状も可能である。
【００１９】
ネット３や井の字状や十字状のカット線材３ａは、釣り用のテグスなどのように、ナイロンなどのような丈夫な合成樹脂製が適しており、容器のフランジ２に熱溶着するのにも適している。また、合成樹脂製の丈夫な各種メッシュのネットも市販されているので、安価に採用しフランジ２に熱溶着できる。図３の井の字状や図４の十字状のカット線材３ａの場合は、ネット状でなく、線材を井の字状や十字状に取付け接着してもよい。複数のカット線材を平行に接着固定することも可能である。なお、図３、図４のカット線材は断面円形であるが、フランジ２への熱溶着部は偏平状に押し潰されるので、シールシート４の熱溶着封止に支障はない。
【００２０】
井の字状や十字状にカット線材を取付ける場合は、幼児が舌を差し込む恐れがあるが、より太い線材を用いると、切る危険が少ない。図２のような網目の細かいネット状を用いる場合は、容器内部の半固形食品を押し出す際の抵抗が大きくなるし、幼児が舌を差し込むこともできないので、細いカット線材を用いるのがよい。細いほど、半固形食品を押し出す際の抵抗が小さいので、網目の細かいネット状を採用しても、幼児が軽い力で容易に押し出すことができる。なお、井の字状や十字状は一例であって、容器の開口を２分するように、１本のカット線材を取付けてもよいし、２本以上のカット線材を平行状態に取付けることも可能で、自由に配置できる。容器中身の半固形食品は、カット線材３、３ａをフランジ２に熱溶着した状態で、カット線材３、３ａの上から溶融した半固形食品を充填して冷却するので、特に問題はない。
【００２１】
図１のように、容器フランジ２の一部に舌片状の突出部２ａを設けて、その上にシールシート４の摘まみ片を重ねた構造が多いが、通常は摘まみ片が突出部２ａと同じ形状をしているために、幼児が摘まみ片を指で把持して剥がすのは困難である。本発明は、摘まみ片にＶ字状の切り込み４ａをシールシート４の中央に向けて入れてあるため、切り込み４ａの片方の摘まみ片４ｂ又は４ｃを指で把持して、片方だけ引き剥がすと、切り込み４ａから自然と容易にシールシート４まで破れて、片方の半分だけが剥離される。次いで、残った摘まみ片４ｃ又は４ｂを把持して剥がしていくと、シールシート４の残り半分が剥離除去される。その結果、操作は２回に増えるが、力の弱い幼児や高齢者でも容易に軽い力でシールシート４の全体を剥離できる。なお、Ｖ字状に限られず、摘まみ片を２分する切り込みをシールシートの中央方向に向けて設けるだけでも有効である。
【産業上の利用可能性】
【００２２】
以上のように、本発明によると、合成樹脂製のカップの開口に１以上のカット線材を井の字状や十字状、ネット状に取付け固定してあるため、幼児が舌を切る危険もなく、内部のゼリーなどの半固形食品が容易に押し出され、かつ分割される。したがって、こんにゃくゼリーなどのように、咀嚼分割が困難な半固形食品を充填し、一口で食べるような用途に適している。
【図面の簡単な説明】
【００２３】
【図１】本発明による半固形食品用容器を示す分解斜視図である。
【図２】ネット状のカット線材を取付け固定した状態の半固形食品用の容器の斜視図である。
【図３】カット線材を井の字状に取付けた容器の斜視図である。
【図４】カット線材を十字状に取付けた容器の斜視図である。
【符号の説明】
【００２４】
１  合成樹脂製の容器
２  フランジ
２ａ  舌状突出部
３  ネット
３ａ  井の字状又は十字状のカット線材
４  シールシート
４ａ  切り込み
４ｂ・４ｃ  片方の摘まみ片
【図１】
2009001306.tif 000003
【図２】
2009001306.tif 000004
【図３】
2009001306.tif 000005
【図４】
2009001306.tif 000006